(57)【要約】【課題】入力装置と出力装置が互いに離れた場所（遠隔地）にある場合において入力用原本と出力結果とを円滑かつ迅速に照合する照合システムを提供すること。【解決手段】互いに離れた場所に設置された入力装置と出力装置が互いに通信回線を介して接続された場合における入力用原本と出力結果とを照合する照合システムにおいて、前記入力装置は、前記通信回線を介して、入力用原本に基づいて入力された入力データを前記出力装置に伝送し、前記出力装置は、前記入力データに基づいて所定の出力を行い、該出力結果を電子的に読み取ると共に、当該読み取り結果を前記入力装置に伝送する。【選択図】      図１
2007233939.tif 000002
【特許請求の範囲】
【請求項１】
互いに離れた場所に設置された入力装置と出力装置が互いに通信回線を介して接続された場合における入力用原本と出力結果とを照合する照合システムにおいて、
前記入力装置は、前記通信回線を介して、入力用原本に基づいて入力された入力データを前記出力装置に伝送し、
前記出力装置は、前記入力データに基づいて所定の出力を行い、該出力結果を電子的に読み取ると共に、当該読み取り結果を前記入力装置に伝送することを特徴とする照合システム。
【請求項２】
請求項１に記載の照合システムにおいて、前記出力装置は、プリンタスキャナ一体型の装置であることを特徴とする照合システム。
【請求項３】
請求項１又は請求項２に記載の照合システムにおいて、前記入力装置は、前記出力装置から伝送された読み取り結果を表示することを特徴とする照合システム。
【請求項４】
請求項１から請求項３のいずれか１項に記載の照合システムにおいて、前記入力装置は、複数の入力端末からなることを特徴とする照合システム。
【請求項５】
請求項１から請求項４のいずれか１項に記載の照合システムにおいて、前記通信回線は、秘匿性を有する公衆回線及び専用回線のいずれかを含むことを特徴とする照合システム。
【請求項６】
互いに離れた場所に設置された入力装置と出力装置が互いに通信回線を介して接続された場合における入力用原本と出力結果とを照合する照合方法において、
入力用原本に基づいて入力された入力データを、前記通信回線を介して前記入力装置から前記出力装置に伝送し、
前記出力装置において、前記入力データに基づいて所定の出力を行い、該出力結果を電子的に読み取ると共に、当該読み取り結果を前記入力装置に伝送することを特徴とする照合方法。
【発明の詳細な説明】
【技術分野】
【０００１】
本発明は、入力装置と出力装置が互いに離れた場所（遠隔地）にある場合における入力用原本と出力結果とを照合する技術に関する。
【背景技術】
【０００２】
入力装置と出力装置が離れた場所にある場合において、入力装置で入力された項目の確認や出力装置からの出力状態の確認が必要になる。例えば、運転免許証を発行する場合について図２を参照して説明する。図２に示すように、申請書からの必要事項の入力と運転免許証の交付は警察署１０で行われ、免許証の印刷・発行は免許試験センター２０で行われる。  
運転免許証を発行する場合には、申請書に記載された事項を、警察署１０で入力端末１２を介して入力する（ステップ１）。入力端末１２に入力された項目は、ＬＡＮ１４から秘匿性を有する通信回線（公衆回線或いは専用回線等いずれでもよい）及びＬＡＮ２４を介して免許試験センター２０のサーバ２２に送信される。免許試験センター２０では、警察署１０から受信したデータに基づいて、出力装置（例えば、プリンタ２６）により、運転免許証を印刷し（ステップ２）、警察署１０からの申請書の到着を待って（ステップ３）、送付された申請書との内容の照合を行い（ステップ４）、申請書の内容と運転免許証に記載された内容とに相違がなく、印字不良がなければ、警察署１０に郵送等で送付（以下、単に、「送付」と称する）する（ステップ５）。  
この場合において、運転免許センターでは、申請書と運転免許証との照合を申請書の到着を待って行うため、申請書が到着するまで、申請書と運転免許証との照合を行うことができない。そのため、運転免許証の警察署１０への送付が遅れることになる。なお、警察署１０と免許試験センター２０が遠隔地にある場合には、郵送により、申請書と運転免許証を送付することになるため、更に時間を要することになる。
【発明の開示】
【発明が解決しようとする課題】
【０００３】
本発明は、入力装置と出力装置が互いに離れた場所（遠隔地）にある場合において入力用原本と出力結果とを円滑かつ迅速に照合する照合システムを提供することを目的とする。
【課題を解決するための手段】
【０００４】
本発明に係る照合システムは、例えば、免許作成システムのような、申請を受け付けてデータを入力する部署（場所）と当該データに基づいて出力を行う部署（場所）とが離れている場合において、出力の電子データを入力した部署に送信して入力部署で出力結果を確認するようにしている。具体的には、以下の通りである。
【０００５】
本発明の局面に係る発明は、互いに離れた場所に設置された入力装置と出力装置が互いに通信回線を介して接続された場合における入力用原本と出力結果とを照合する照合システムにおいて、前記入力装置は、前記通信回線を介して、入力用原本に基づいて入力された入力データを前記出力装置に伝送し、前記出力装置は、前記入力データに基づいて所定の出力を行い、該出力結果を電子的に読み取ると共に、当該読み取り結果を前記入力装置に伝送することを特徴とする。本発明は、システム（装置を含む）の発明に限らず、方法の発明としても成立する。
【発明の効果】
【０００６】
本発明によれば、入力装置と出力装置が互いに離れた場所（遠隔地）にある場合において入力用原本と出力結果とを円滑かつ迅速に照合する照合システムを提供することができる。
【発明を実施するための最良の形態】
【０００７】
図面を参照して本発明の実施の形態を説明する。  
図２に示すように、現行システムでは、警察署１０で申請書を受け付けて、該申請書に基づいて入力端末１２で入力したデータを、通信回線を介して免許試験センター２０のサーバ２２へ伝送する。なお、申請書は、免許試験センター２０へ別途郵送などの手段により送付される。  
免許試験センター２０では、警察署１０から送信されたデータに基づいて運転免許証が作成される。そして、郵送されてきた申請書と免許証を確認し、データの入力ミス、印字品質を確認し、免許証を警察署１０へ送付する。運転免許証の内容や印刷品質に問題があった場合には、運転免許証を再作成した後に、再度データの入力ミス、印字品質を確認し、免許証を警察署１０へ送付する。そして、警察署１０は、郵送された運転免許証を申請者へ交付する。
【０００８】
本システムでは、印刷装置に読み取り装置（スキャナ）を備え、印刷装置で印刷した運転免許証をこの読み取り装置で読み取り、読み取り結果を警察署に伝送して、警察署で内容や印字品質をチェックするようにしている。図１を参照して、本発明の一実施形態に係る照合システムについて説明する。
【０００９】
図１に示すように、警察署１０には、複数の入力端末１２がＬＡＮ１４を介して接続されている。また、免許試験センター２０には、サーバ２２とプリンタスキャナ２８がＬＡＮ２４を介して接続されている。
【００１０】
警察署１０では、申請者からの申請書を受け付け、該申請書に基づいて入力端末１２を介してデータを入力し（ステップ１）、該データを、ＬＡＮ１４及び通信回線を介して免許試験センター２０のサーバ２２へ伝送する。
【００１１】
免許試験センター２０では、警察署１０から伝送された申請データに基づいて運転免許証をプリンタスキャナ２８で印刷出力することにより作成する（ステップ２）。このとき、作成された免許証をプリンタスキャナ２８で読みとり、読み取った画像データを、再び通信回線を介して警察署１０へ転送する（ステップ３）。
【００１２】
警察署１０は、免許試験センター２０から転送された画像データを、例えば入力端末１２の画面でその印字品質を確認すると共に、申請書の内容との照合を行う（ステップ４）。問題なければ、免許試験センター２０へ運転免許証の郵送を依頼する。問題があると判断した場合には、免許試験センター２０へ運転免許証の再作成を依頼し、ステップ２からステップ４を繰り返す。  
そして、警察署１０で問題がないことが確認されたら、免許試験センター２０から警察署１０へ運転免許証が送付され（ステップ５）、警察署１０は、免許試験センター２０から送付された運転免許証を申請者へ交付する。
【００１３】
上記のように本発明によれば、出力結果をそのまま電子的に読み取って、入力側（警察署）に電子データを送信（伝送）するようにしたので、申請書を送付することなく、入力元である警察署で申請書の原本と出力結果を照合することができる。従って、送付による申請書の紛失や、申請書が届くまでのタイムラグ、等がなくなると共に、プリンタなどの作成機から、目的の運転免許証を探さなくても印刷結果を確認できるため、運転免許証を探す時間と労力を短縮できる。
【００１４】
通常データを入力して印刷をして出力する場合に、原稿を元にデータを入力して印刷する。そして、印刷結果を原稿と比較し、間違っていないか確認する。そのとき、印刷件数が多い場合は、印刷した媒体と原稿を照合する作業が発生する。入力機と印刷機の関係が１対１の関係の場合は順番を守る等でそのような問題を回避できるが、入力機が印刷機に比べて多い（ｎ対１の）場合は、照合するための入力した原稿に対応する出力結果を探すのに手間がかかる。この場合、上記のように、電子的に印刷結果が出力されることにより、入力機、もしくは類似する端末で原稿と印刷結果を簡単に確認することができる。また、印刷機が入力機と離れていた場合に、原稿を印刷機のある場所まで運ぶ必要があったが、本発明の実施形態によれば、入力機から動かずに印刷結果を確認できる。
【００１５】
本発明は、上記各実施の形態に限ることなく、その他、実施段階ではその要旨を逸脱しない範囲で種々の変形を実施し得ることが可能である。  
上記の実施形態では、プリンタスキャナ２８で読み込んだ画像を入力端末１２で表示・確認するようにしたが、他の結果確認用のコンピュータを設けてもよいし、読み取り結果を表示可能な表示装置のみであっても良い。  
なお、上記の実施形態では、運転免許証の発行について説明したが、申請場所と発行場所が離れている（例えば、違う建物や遠隔地の）ような場合には、本発明が適用可能である。
【００１６】
また、プリンタスキャナ２８は、一体型である必要はなく、印刷結果をすぐに読み取れるようになっていればよい。
【００１７】
さらに、上記各実施形態には、種々の段階の発明が含まれており、開示される複数の構成要件における適宜な組合せにより種々の発明が抽出され得る。
【００１８】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００１９】
【図１】本発明の一実施形態に係る照合システムの概略構成を示す図。
【図２】運転免許証を発行する場合の現行の概略システムを示す図。
【符号の説明】
【００２０】
１０…警察署
１２…入力端末
１４…ＬＡＮ
２０…免許試験センター
２２…サーバ
２４…ＬＡＮ
２６…プリンタ
２８…プリンタスキャナ
【図１】
2007233939.tif 000003
【図２】
2007233939.tif 000004